(57)【特許請求の範囲】
【請求項１】
底板部と、該底板部の両側縁から立ち上がる両側板部と、両側板部の上端を連絡する天井板部とを備える角筒状に一枚の金属板から折り曲げ形成されて、内部に雄型端子金具が挿入される箱部と、
該箱部の天井板部の後部に形成されてコネクタハウジング内のランスが係合するランス係止部と、
前記箱部に挿入された雄型端子金具を底板部に押圧して前記雄型端子金具を前記底板部に接触した状態に保つように、前記箱部を形成する板部の１つに一体形成される端子付勢板ばねと、
前記箱部の後方に延出して形成された電線接続部と、
を備える雌型端子金具であって、
前記両側板部の内の一方の側板部の上縁を折り曲げて形成される前記天井板部と、
後端部が前記ランス係止部の後端部よりも内側に引っ込んだ配置で前記天井板部の内面に積層するように、他方の側板部の上縁を折り曲げて形成されるばね支持板部と、
前記ばね支持板部から前記底板部の前端側に延出して形成される前記端子付勢板ばねと、
を備えることを特徴とする雌型端子金具。
【発明の詳細な説明】
【技術分野】
【０００１】
本発明は、コネクタハウジングの端子収容孔に装着した際に、コネクタハウジング内のランスによって抜け止めされる雌型端子金具に関する。
【背景技術】
【０００２】
図８及び図９は、コネクタハウジングの端子収容孔に装着した際に、コネクタハウジング内のランスによって抜け止めされる雌型端子金具の従来例を示したものである。
【０００３】
この雌型端子金具は、下記特許文献１に開示されたものである。
この雌型端子金具１０１は、金属板のプレス成形により形成される端子金具で、図８に示すように、箱部１１０と、ランス係止部１２０と、端子付勢板ばね１３０と、電線接続部１４０と、を備えている。
【０００４】
箱部１１０は、図９に示すように、内部に雄型端子金具のタブ２１０が挿入される部分である。
【０００５】
この箱部１１０は、底板部１１１と、該底板部１１１の両側縁から立ち上がる両側板部１１２と、両側板部１１２の上端を連絡するように一方の側板部１１２の上端縁から延出した天井板部１１５とを備える角筒状に、一枚の金属板から折り曲げ形成されている。
【０００６】
図示例の場合、天井板部１１５の前端には、角筒の前方を覆う前部板部１１６が折り曲げ形成されている。そして、前部板部１１６の下端には、図９に示すように、タブ２１０を挿入するためのタブ挿入口１１７が形成される。
【０００７】
ランス係止部１２０は、箱部１１０の天井板部１１５の後端部で、コネクタハウジング内のランス２２１が係合する部位である。
【０００８】
端子付勢板ばね１３０は、箱部１１０に挿入された雄型端子金具のタブ２１０を底板部１１１に押圧してタブ２１０を底板部１１１に接触した状態に保つ板ばねである。
【０００９】
この端子付勢板ばね１３０は、天井板部１１５の後端から底板部１１１の前端側に向かって斜めに延出して設けられた板ばねである。端子付勢板ばね１３０の前端側は、上方に折り返され、自由端である先端部１３１が天井板部１１５の内面に当接させられている。
【００１０】
電線接続部１４０は、電線を圧着接続する部位で、箱部１１０の後方に延出して形成される。この電線接続部１４０は、図８に示すように、被覆電線の被覆部に加締め付けられる被覆固定片１４１と、被覆電線の導体部に加締め着けられる電線圧着片１４２と、を備えている。
【先行技術文献】
【特許文献】
【００１１】
【特許文献１】特開２００８−４１３１５号公報
【発明の概要】
【発明が解決しようとする課題】
【００１２】
ところで、コネクタハウジング内のランスにより抜け止めされる雌型端子金具１０１は、電線接続部１４０に接続されている電線から電線接続部１４０に張力（図９の矢印Ｔ１方向の力）が作用したときには、その反作用として、コネクタハウジング内のランス２２１からランス係止部１２０に圧縮荷重Ｐ１が作用する。
【００１３】
そして、特許文献１の雌型端子金具１０１では、ランス係止部１２０として設定されている天井板部１１５の後端から端子付勢板ばね１３０が延出する構成のため、圧縮荷重Ｐ１によりランス係止部１２０が撓むと、それに伴って、端子付勢板ばね１３０に変形が生じて、端子付勢板ばね１３０からタブ２１０への押圧力が変動するおそれがあった。
【００１４】
端子付勢板ばね１３０からタブ２１０への押圧力の変動は、端子金具相互間の接触圧の変動となって、端子金具相互間の接続特性の低下を招く。
【００１５】
そこで、本発明の目的は、上記課題を解消することに係り、コネクタハウジング内のランスからランス係止部に圧縮荷重が作用した場合でも、前記圧縮荷重が端子付勢板ばねの変形を招くことがなく、端子付勢板ばねが安定した押圧力を保持して、端子金具相互の接続信頼性を向上させることができる雌型端子金具を提供することにある。
【課題を解決するための手段】
【００１６】
本発明の前述した目的は、下記の構成により達成される。
（１）底板部と、該底板部の両側縁から立ち上がる両側板部と、両側板部の上端を連絡する天井板部とを備える角筒状に一枚の金属板から折り曲げ形成されて、内部に雄型端子金具が挿入される箱部と、
該箱部の天井板部の後部に形成されてコネクタハウジング内のランスが係合するランス係止部と、
前記箱部に挿入された雄型端子金具を底板部に押圧して前記雄型端子金具を前記底板部に接触した状態に保つように、前記箱部を形成する板部の１つに一体形成される端子付勢板ばねと、
前記箱部の後方に延出して形成された電線接続部と、
を備える雌型端子金具であって、
前記両側板部の内の一方の側板部の上縁を折り曲げて形成される前記天井板部と、
後端部が前記ランス係止部の後端部よりも内側に引っ込んだ配置で前記天井板部の内面に積層するように、他方の側板部の上縁を折り曲げて形成されるばね支持板部と、
前記ばね支持板部から前記底板部の前端側に延出して形成される前記端子付勢板ばねと、
を備えることを特徴とする雌型端子金具。
【００１７】
上記（１）の構成によれば、端子付勢板ばねは、天井板部とは別体のばね支持板部から延出している。しかも、ばね支持板部の後端は、ランス係止部が形成されている天井板部の後端部よりも内側に引っ込んだ配置となっていて、雌型端子金具がコネクタハウジングのランスにより抜け止めされる状態でも、端子付勢板ばねが装備されているばね支持板部はランスと非接触状態に保たれる。
【００１８】
従って、電線接続部に接続されている電線から電線接続部に作用する張力等で、コネクタハウジング内のランスからランス係止部に圧縮荷重が作用した場合でも、前記圧縮荷重が端子付勢板ばねの変形を招くことがなく、端子付勢板ばねが安定した押圧力を保持して、端子金具相互の接続信頼性を向上させることができる。
【発明の効果】
【００１９】
本発明による雌型端子金具によれば、端子付勢板ばねが装備されているばね支持板部はランスと非接触状態に保たれる。従って、電線接続部に接続されている電線から電線接続部に作用する張力等で、コネクタハウジング内のランスからランス係止部に圧縮荷重が作用した場合でも、前記圧縮荷重が端子付勢板ばねの変形を招くことがなく、端子付勢板ばねが安定した押圧力を保持して、端子金具相互の接続信頼性を向上させることができる。
【図面の簡単な説明】
【００２０】
【図１】本発明に係る雌型端子金具及びコネクタハウジングの一実施形態の分解斜視図である。
【図２】（ａ）は図１に示した雌型端子金具の外観斜視図、（ｂ）は図１に示した雌型端子金具の側面図、（ｃ）は図１に示した雌型端子金具の縦断面図である。
【図３】図１に示した雌型端子金具のプレス加工時の板取り状態を示す斜視図である。
【図４】図１に示した雌型端子金具のプレス加工時の板取り状態を示す平面図である。
【図５】（ａ）は図１に示したコネクタハウジングの正面図、（ｂ）は（ａ）のＡ−Ａ断面図である。
【図６】図１に示した雌型端子金具がコネクタハウジングに装着された状態の縦断面図である。
【図７】図６のＢ部の拡大図である。
【図８】従来の雌型端子金具の縦断面図である。
【図９】図８の雌型端子金具に雄型端子金具が嵌合した状態の縦断面図である。
【発明を実施するための形態】
【００２１】
以下、本発明に係る雌型端子金具の好適な実施形態について、図面を参照して詳細に説明する。
【００２２】
図１及び図２は本発明に係る雌型端子金具の一実施形態を示したもので、図１は本発明に係る雌型端子金具及びコネクタハウジングの一実施形態の分解斜視図、図２（ａ）は図１に示した雌型端子金具の外観斜視図、図２（ｂ）は図１に示した雌型端子金具の側面図、図２（ｃ）は図１に示した雌型端子金具の縦断面図である。
【００２３】
この一実施形態の雌型端子金具１１は、コネクタハウジング２１の端子収容孔２２に装着した際に、コネクタハウジング２１内のランス２３によって抜け止めされる。
【００２４】
雌型端子金具１１は、図１及び図２に示すように、箱部４１と、ランス係止部５１と、ばね支持板部５４と、端子付勢板ばね６１と、電線接続部７１と、を備えている。
【００２５】
雌型端子金具１１は、図３及び図４に示すように、一枚の金属板８１から、折り曲げ形成される。図３及び図４において、符号１１Ａはプレス成形前の雌型端子金具１１の展開形状、符号３は展開形状１１Ａを一定の間隔で連結した連結部である。連結部３は、プレス成形時の送りに利用され、プレス成形後に雌型端子金具１１から切り離される。図３及び図４に示した展開形状１１Ａには、折り曲げ成形後の部位となる符号を付して、折り曲げ成形後の形状との整合を示している。
【００２６】
次に、雌型端子金具１１の各部位の構成について、詳細に説明する。
箱部４１は、内部に雄型端子金具が挿入される部位で、底板部４２と、該底板部４２の両側縁から立ち上がる両側壁部４３，４４と、両側壁部４３，４４の上端を連絡する天井板部４５と、を備える角筒状に、形成される。
【００２７】
底板部４２には、雄型端子金具との接触部４２ａが、隆起形成されている。接触部４２ａは、図３及び図４に示すように、雄型端子金具の挿入方向に延在して形成されている。
【００２８】
天井板部４５は、一方の側壁部４３の上縁に連なる部位を、側壁部４３に対して直角に折り曲げることにより形成される。
【００２９】
この天井板部４５の後部に、ランス係止部５１が形成される。
ランス係止部５１は、コネクタハウジング２１内のランス２３が係合する部位で、図２（ｃ）にも示すように、上方に凸の湾曲成形５１ａを付与することで、強度の向上が図られている。
【００３０】
ばね支持板部５４は、他方の側壁部４４の後端側上縁に連なる部位を、側壁部４４に対して直角に折り曲げることにより形成される。
【００３１】
ばね支持板部５４は、図２（ｃ）に示すように、後端部５４ａが天井板部４５の後端部（ランス係止部５１の後端部）よりも内側に寸法Ｃだけ引っ込んだ配置で、天井板部４５の内面に積層するように、成形される。
【００３２】
端子付勢板ばね６１は、箱部４１に挿入された雄型端子金具を底板部４２に押圧して前記雄型端子金具を底板部４２に接触した状態に保つように、箱部４１を形成する板部の１つであるばね支持板部５４に一体形成される。
【００３３】
端子付勢板ばね６１は、図２（ｃ）に示すように、ばね支持板部５４から底板部４２の前端側に延出して形成され。端子付勢板ばね６１の前端６１ａは、底板部４２の接触部４２ａと対向する位置に配置され、雄型端子金具を接触部４２ａに密着させる。
【００３４】
端子付勢板ばね６１の前端６１ａは、挿入された雄型端子金具が引っかからないように、且つ、雄型端子金具との摺動抵抗が小さくなるように、下方側に凸の湾曲形状に成形されている。
【００３５】
電線接続部７１は、電線を圧着接続する部位で、箱部４１の後方に延出して形成される。この電線接続部７１は、図１に示すように、被覆電線５の被覆部５ａに加締め付けられる被覆固定片７２と、被覆電線５の導体部５ｂに加締め着けられる電線圧着片７３と、を備えている。
【００３６】
次に、上記の雌型端子金具１１が装着されるコネクタハウジング２１の構成を、図５〜図７に基づいて説明する。
【００３７】
図５（ａ）は図１に示したコネクタハウジング２１の正面図、図５（ｂ）は図５（ａ）のＡ−Ａ断面図、図６は図１に示した雌型端子金具がコネクタハウジング２１に装着された状態の縦断面図、図７は図６のＢ部の拡大図である。
【００３８】
コネクタハウジング２１は、雌型端子金具１１が挿入される端子収容孔２２と、ランス２３と、ランス撓み空間２４と、を備える。
【００３９】
本実施形態のコネクタハウジング２１の場合、端子収容孔２２は、図５に示すように、上下方向に２段、幅方向に６列に配列されている。また、コネクタハウジング２１の後端（基端）に開放する端子収容孔２２の後端側２２ａは、雌型端子金具１１の挿入口となるため、前端側よりも広口に開口している。
【００４０】
更に、端子収容孔２２の先端部には、不図示の雄型の端子金具の先端部が挿通される端子挿通口２２ｂと、不図示の半挿入検知用治具の導通ピンが挿通される導通ピン挿通口２２ｃと、が形成されている。
【００４１】
ランス２３は、雌型端子金具１１の挿入方向（図１の矢印Ｘ１方向）に沿ってコネクタハウジング２１の基端側から延出した弾性片２３ｂと、端子収容孔２２に突出するように弾性片２３ｂの先端側に突設された係止突起２３ａと、を備えた構成である。
【００４２】
このランス２３は、端子収容孔２２への雌型端子金具１１の挿入に伴い係止突起２３ａが端子収容孔２２の外に逃げるようにランス撓み空間２４側に撓み変位して、雌型端子金具１１の挿入を許容する。そして、雌型端子金具１１が正規位置まで挿入されたときには、図６及び図７に示すように、係止突起２３ａがランス係止部５１に係合することで撓み変位が戻って、係止突起２３ａにより雌型端子金具１１を抜け止め状態とする。
【００４３】
係止突起２３ａは、雌型端子金具１１の箱部４１の後端のランス係止部５１に係合することで、雌型端子金具１１の抜け止めを行う。
【００４４】
ランス撓み空間２４は、端子収容孔２２の外側に並走状態に形成されていて、雌型端子金具１１の挿入に伴うランス２３の撓み変位を許容する。
【００４５】
以上に説明した一実施形態の雌型端子金具１１の場合、図７にも示したように、端子付勢板ばね６１は、天井板部４５とは別体のばね支持板部５４から延出している。しかも、ばね支持板部５４の後端は、ランス係止部５１が形成されている天井板部４５の後端部よりも内側に寸法Ｃだけ引っ込んだ配置となっていて、雌型端子金具１１がコネクタハウジング２１のランス２３により抜け止めされる状態でも、端子付勢板ばね６１が装備されているばね支持板部５４はランス２３と非接触状態に保たれる。
【００４６】
従って、電線接続部７１に接続されている被覆電線５（図１参照）から電線接続部７１に作用する張力Ｔ２（図６参照）等で、コネクタハウジング２１内のランス２３からランス係止部５１に圧縮荷重が作用した場合でも、前記圧縮荷重が端子付勢板ばね６１の変形を招くことがなく、端子付勢板ばね６１が安定した押圧力を保持して、端子金具相互の接続信頼性を向上させることができる。
【００４７】
なお、本発明は、上述した実施形態に限定されるものではなく、適宜、変形、改良、等が可能である。その他、上述した実施形態における各構成要素の材質、形状、寸法、数、配置箇所、等は本発明の目的を達成できるものであれば任意であり、限定されない。
【符号の説明】
【００４８】
１１  雌型端子金具
２１  コネクタハウジング
２２  端子収容孔
２３  ランス
２４  ランス撓み空間
４１  箱部
４３  一方の側壁部
４４  他方の側壁部
４５  天井板部
５１  ランス係止部
５４  ばね支持板部
５４ａ  後端部
６１  端子付勢板ばね
【図１】
0005723133.tif 000002
【図２】
0005723133.tif 000003
【図３】
0005723133.tif 000004
【図４】
0005723133.tif 000005
【図５】
0005723133.tif 000006
【図６】
0005723133.tif 000007
【図７】
0005723133.tif 000008
【図８】
0005723133.tif 000009
【図９】
0005723133.tif 000010